(57)【特許請求の範囲】
【請求項１】
ベッド毎に設置されて患者が看護師を呼び出す為のナースコール子機と、前記ナースコール子機が出力する呼出信号を中継すると共に呼出発生を表示する廊下灯と、ナースステーションに設置されて前記ナースコール子機による呼び出しに看護師が応答するためのナースコール親機と、看護師が携行して前記ナースコール子機からの呼び出しに応答するための携帯端末と、機器間の通信を制御する制御機と、患者を見守るために病室に設置されたカメラと、前記ナースコール親機に設けられて前記カメラの撮像映像を表示する表示部とを有するナースコールシステムであって、
看護師は自身のＩＤ情報を発信するＩＤ情報発信手段を携行すると共に、
前記ナースコール親機は、前記ＩＤ情報発信手段のＩＤ情報を読み取るＩＤ受信手段と、前記ナースコール子機からの呼び出しに対して自身から応答された通話履歴を、同時に受信したＩＤ情報と共に保存する親機通話履歴記憶部とを有する一方、
起動した前記カメラは起動信号及び映像信号を出力すると共に、前記廊下灯は前記起動信号を受けて前記カメラに関連付けられている前記ナースコール子機の呼出信号を生成して前記ナースコール親機に送信し、
前記呼出信号を受信したナースコール親機は、呼出音の鳴動を行うと共に前記表示部に受信した映像を表示し、その後一定時間経過しても応答操作が無ければ前記親機通話履歴記憶部を参照して、前記ナースコール親機で直近に応答した少なくとも一人の看護師に対して携行する前記携帯端末に呼び出しを転送して鳴動制御する呼出制御部を有することを特徴とするナースコールシステム。
【請求項２】
ベッド毎に設置されて患者が看護師を呼び出す為のナースコール子機と、前記ナースコール子機が出力する呼出信号を中継すると共に呼出発生を表示する廊下灯と、ナースステーションに設置されて前記ナースコール子機による呼び出しに看護師が応答するためのナースコール親機と、看護師が携行して前記ナースコール子機からの呼び出しに応答するための携帯端末と、機器間の通信を制御する制御機と、患者を見守るために病室に設置されたカメラと、前記カメラの撮像映像を表示する前記ナースコール親機に設けられた表示部とを有するナースコールシステムであって、
看護師は自身のＩＤ情報を発信するＩＤ情報発信手段を携行すると共に、
前記ナースコール親機は、所定の距離以内に前記ＩＤ情報発信手段が接近したらＩＤ情報を読み取るＩＤ受信手段と、受信したＩＤ情報を保存するＩＤ履歴記憶部とを有し、
起動した前記カメラは起動信号及び映像信号を出力すると共に、前記廊下灯は前記起動信号を受けて前記カメラに関連付けられている前記ナースコール子機の呼出信号を生成して前記ナースコール親機に送信し、
前記呼出信号を受信したナースコール親機は、呼出音の鳴動を行うと共に前記表示部に受信した映像を表示し、その後一定時間経過しても応答操作が無ければ前記ＩＤ履歴記憶部を参照して、直近に受信したＩＤのＩＤ情報発信手段を携行する少なくとも一人の看護師に対して携行する前記携帯端末に呼び出しを転送して鳴動制御する呼出制御部を有することを特徴とするナースコールシステム。
【請求項３】
前記ナースコール親機或いは前記制御機は、患者毎の担当看護師を登録した担当看護師記憶部を有し、
前記呼出制御部は、前記携帯端末を一定時間鳴動させても応答がない場合は、前記担当看護師記憶部を参照して、担当看護師の携帯端末へ呼出信号を転送することを特徴とする請求項１又は２記載のナースコールシステム。
【請求項４】
ベッド毎に設置されて患者が看護師を呼び出す為のナースコール子機と、前記ナースコール子機が出力する呼出信号を中継すると共に呼出発生を表示する廊下灯と、ナースステーションに設置されて前記ナースコール子機による呼び出しに看護師が応答するためのナースコール親機と、看護師が携行して前記ナースコール子機からの呼び出しに応答するための携帯端末と、機器間の通信を制御する制御機と、患者を見守るために病室に設置されたカメラと、前記カメラの撮像映像を表示する前記ナースコール親機に設けられた表示部とを有するナースコールシステムであって、
前記ナースコール親機或いは前記制御機は、患者毎の担当看護師を登録した担当看護師記憶部を有する一方、
起動した前記カメラは起動信号及び映像信号を出力すると共に、前記廊下灯は前記起動信号を受けて前記カメラに関連付けられている前記ナースコール子機の呼出信号を生成して前記ナースコール親機に送信し、
前記呼出信号を受信したナースコール親機は、呼出音の鳴動を行うと共に前記表示部に受信した映像を表示し、その後一定時間が経過しても応答操作が無ければ、前記担当看護師記憶部の情報を基に、担当看護師の携帯端末に呼び出しを転送して鳴動制御する呼出制御部を有することを特徴とするナースコールシステム。
【請求項５】
前記カメラは、電源投入後でも前記起動信号を生成する再起動ボタンを有することを特徴とする請求項１乃至４の何れかに記載のナースコールシステム。
【発明の詳細な説明】
【技術分野】
【０００１】
本発明は、ベッド上の患者をカメラにより見守る機能を備えたナースコールシステムに関する。
【背景技術】
【０００２】
病室に設置したカメラによりベッド上の患者を撮像して、患者の起き上がりや離床を検知したら、ナースステーション等の看護師に通知するナースコールシステムがある。
例えば、特許文献１では、ベッド上方に設置したカメラによりベッドに伏している患者を撮像して、離床動作等を検出したら、廊下灯がナースコール親機に注意信号を送信し、ナースコール親機に患者映像を表示させると共に、報知動作させた。
【先行技術文献】
【特許文献】
【０００３】
【特許文献１】特開２０１４−９０９１３号公報
【発明の概要】
【発明が解決しようとする課題】
【０００４】
上記特許文献１のナースコールシステムのように、カメラの撮像映像により患者を見守る場合、見守り対象の患者が画面中央に来るのが望ましい。即ち撮像対象のベッドが画面中央に来るのが望ましい。しかしながら、映像を表示するナースコール親機はナースステーション内にあるため、カメラヘッドの角度調整を実施する場合はカメラ調整者とモニタ確認者の２人掛かりで調整した。この調整作業は、ベッド移動の度に実施する必要があるため、調整頻度も多く看護師の負担になっていた。また、ナースステーションに人が不在時な場合には時間がかかってしまい、面倒な作業となっていた。
【０００５】
そこで、本発明はこのような問題点に鑑み、患者を撮像するカメラの角度調整をスムーズに実施可能としたナースコールシステムを提供することを目的としている。
【課題を解決するための手段】
【０００６】
上記課題を解決する為に、請求項１の発明は、ベッド毎に設置されて患者が看護師を呼び出す為のナースコール子機と、ナースコール子機が出力する呼出信号を中継すると共に呼出発生を表示する廊下灯と、ナースステーションに設置されてナースコール子機による呼び出しに看護師が応答するためのナースコール親機と、看護師が携行してナースコール子機からの呼び出しに応答するための携帯端末と、機器間の通信を制御する制御機と、患者を見守るために病室に設置されたカメラと、ナースコール親機に設けられてカメラの撮像映像を表示する表示部とを有するナースコールシステムであって、看護師は自身のＩＤ情報を発信するＩＤ情報発信手段を携行すると共に、ナースコール親機は、ＩＤ情報発信手段のＩＤ情報を読み取るＩＤ受信手段と、ナースコール子機からの呼び出しに対して自身から応答された通話履歴を、同時に受信したＩＤ情報と共に保存する親機通話履歴記憶部とを有する一方、起動したカメラは起動信号及び映像信号を出力すると共に、廊下灯は起動信号を受けてカメラに関連付けられているナースコール子機の呼出信号を生成してナースコール親機に送信し、呼出信号を受信したナースコール親機は、呼出音の鳴動を行うと共に表示部に受信した映像を表示し、その後一定時間経過しても応答操作が無ければ親機通話履歴記憶部を参照して、ナースコール親機で直近に応答した少なくとも一人の看護師に対して携行する携帯端末に呼び出しを転送して鳴動制御する呼出制御部を有することを特徴とする。
この構成によれば、カメラの撮像角度を調整する際に、ナースステーションに誰も居ないときは、直近にナースコール親機を応答操作した看護師を呼び出すため、ナースステーションの近くに居ると考えられる看護師を呼び出してナースコール親機のモニタチェック作業を手伝ってもらうことができ、カメラの調整をスムーズに実施できる。
【０００７】
請求項２の発明は、ベッド毎に設置されて患者が看護師を呼び出す為のナースコール子機と、ナースコール子機が出力する呼出信号を中継すると共に呼出発生を表示する廊下灯と、ナースステーションに設置されてナースコール子機による呼び出しに看護師が応答するためのナースコール親機と、看護師が携行してナースコール子機からの呼び出しに応答するための携帯端末と、機器間の通信を制御する制御機と、患者を見守るために病室に設置されたカメラと、カメラの撮像映像を表示するナースコール親機に設けられた表示部とを有するナースコールシステムであって、看護師は自身のＩＤ情報を発信するＩＤ情報発信手段を携行すると共に、ナースコール親機は、所定の距離以内にＩＤ情報発信手段が接近したらＩＤ情報を読み取るＩＤ受信手段と、受信したＩＤ情報を保存するＩＤ履歴記憶部とを有し、起動したカメラは起動信号及び映像信号を出力すると共に、廊下灯は起動信号を受けてカメラに関連付けられているナースコール子機の呼出信号を生成してナースコール親機に送信し、呼出信号を受信したナースコール親機は、呼出音の鳴動を行うと共に表示部に受信した映像を表示し、その後一定時間経過しても応答操作が無ければＩＤ履歴記憶部を参照して、直近に受信したＩＤのＩＤ情報発信手段を携行する少なくとも一人の看護師に対して携行する携帯端末に呼び出しを転送して鳴動制御する呼出制御部を有することを特徴とする。
この構成によれば、カメラの撮像角度を調整する際に、ナースステーションに誰も居ないときは、直近にナースコール親機に近づいた看護師を呼び出すため、ナースステーションの近くに居ると考えられる看護師を呼び出してナースコール親機のモニタチェック作業を手伝ってもらうことができ、カメラの調整をスムーズに実施できる。
【０００８】
請求項３の発明は、請求項１又は２に記載の構成において、ナースコール親機或いは制御機は、患者毎の担当看護師を登録した担当看護師記憶部を有し、呼出制御部は、携帯端末を一定時間鳴動させても応答がない場合は、担当看護師記憶部を参照して、担当看護師の携帯端末へ呼出信号を転送することを特徴とする。
この構成によれば、カメラの起動を受けて呼出音を報音するナースコール親機から応答がない場合は、担当看護師の呼び出しに移行するため、直ぐに応答がないからといって、カメラの調整作業を諦める必要がない。
【０００９】
請求項４の発明は、ベッド毎に設置されて患者が看護師を呼び出す為のナースコール子機と、ナースコール子機が出力する呼出信号を中継すると共に呼出発生を表示する廊下灯と、ナースステーションに設置されてナースコール子機による呼び出しに看護師が応答するためのナースコール親機と、看護師が携行してナースコール子機からの呼び出しに応答するための携帯端末と、機器間の通信を制御する制御機と、患者を見守るために病室に設置されたカメラと、カメラの撮像映像を表示するナースコール親機に設けられた表示部とを有するナースコールシステムであって、ナースコール親機或いは制御機は、患者毎の担当看護師を登録した担当看護師記憶部を有する一方、起動したカメラは起動信号及び映像信号を出力すると共に、廊下灯は起動信号を受けてカメラに関連付けられているナースコール子機の呼出信号を生成してナースコール親機に送信し、呼出信号を受信したナースコール親機は、呼出音の鳴動を行うと共に表示部に受信した映像を表示し、その後一定時間が経過しても応答操作が無ければ、担当看護師記憶部の情報を基に、担当看護師の携帯端末に呼び出しを転送して鳴動制御する呼出制御部を有することを特徴とする。
この構成によれば、カメラの撮像角度を調整する際に、ナースステーションに誰も居ないときは、担当看護師に呼び出しが転送されるため、カメラヘッドを調整する際にナースステーションに誰も居なくても、患者を担当している看護師を呼び出してチェック作業を行わせることができ、カメラの調整をスムーズに実施できる。そして、ＩＤカードやＩＤ受信部が必要ないため、従来のナースコールシステムを変更する必要がなく安価に構成できる。
【００１０】
請求項５の発明は、請求項１乃至４の何れかに記載の構成において、カメラは、電源投入後でも起動信号を生成する再起動ボタンを有することを特徴とする。
この構成によれば、ボタン操作により、電源投入時と同様な動作を行わせることができ、利便性が良い。
【発明の効果】
【００１１】
本発明によれば、看護師がＩＤ情報発信手段を携行している場合は、カメラの撮像角度を調整する際に、ナースステーションに誰も居ないときは、直近にナースコール親機を応答操作した看護師、或いは直前までナースコール親機付近に居た看護師を呼び出すため、ナースステーションの近くに居ると考えられる看護師を呼び出してナースコール親機のモニタチェック作業を手伝ってもらうことができ、カメラの調整をスムーズに実施できる。
また、ＩＤ情報発信手段を持たなくてもナースステーションに誰も居ないときは、見守り対象の患者を担当する看護師を呼び出すため、カメラの調整をスムーズに実施できる。
【図面の簡単な説明】
【００１２】
【図１】本発明に係るナースコールシステムの一例を示す構成図である。
【図２】廊下灯の回路ブロック図である。
【図３】ナースコール親機の回路ブロック図である。
【図４】カメラの配置を示す説明図である。
【図５】看護師情報記憶部の記憶情報の説明図である。
【図６】親機通話履歴記憶部の履歴情報の説明図である。
【図７】表示部に表示されたカメラ撮像映像の説明図である。
【発明を実施するための形態】
【００１３】
以下、本発明を具体化した実施の形態を、図面を参照して詳細に説明する。図１は本発明に係るナースコールシステムの一例を示す構成図であり、１はベッド毎に設置されて患者が看護師を呼び出す為のナースコール子機（以下、単に「子機」と称する。）、２は病室毎に設置されてナースコール子機１が出力する呼出信号を中継すると共に呼出発生を表示する廊下灯、３はナースステーションに設置されてナースコール子機１による呼び出しに看護師が応答するためのナースコール親機（以下、単に「親機」と称する。）、４は機器間の通信を制御する制御機、５は看護師が携行して子機１からの呼び出しに応答するための携帯端末、６は患者を撮像するためのカメラ、７は看護師が携行するＩＤカードである。また、８は携帯端末５の通信を管理するの交換機、９は携帯端末５と通信する基地局、１０はＬＡＮ上に設けられたＨＵＢである。
【００１４】
廊下灯２、親機３、制御機４、カメラ６はそれぞれＨＵＢ１０を介してＬＡＮ接続され、子機１は伝送線Ｌ１を介して廊下灯２に接続されている。また、交換機８は伝送線Ｌ２を介して制御機４に接続されると共に、伝送線Ｌ３を介して基地局９と接続されている。
【００１５】
子機１は、呼出握りボタン１ａと壁面に設置されて通話機能を備えたプレート子機１ｂを有している。
【００１６】
図２は廊下灯２の回路ブロック図を示している。廊下灯２は子機１による呼出発生を点滅通知する表示灯２ａ、患者氏名等を表示する患者名表示部２ｂに加えて、病室内に設置されて患者を撮像するカメラ６の撮像映像から患者の離床動作等を判断する状態判断部２１、判断するためのデータベースを記憶する設定値記憶部２２、廊下灯２を制御する廊下灯ＣＰＵ２３、他の機器とＬＡＮ接続するための通信インターフェース（通信ＩＦ）２４等を備えている。尚、カメラ６の撮像映像は廊下灯２を経由して親機３等に伝送される。
【００１７】
図３は親機３の主要部の回路ブロック図を示している。親機３は、患者と通話したり放送するためのハンドセットや報音部を備えた通話部３ａ、各種情報に加えてカメラ６の撮像映像を表示する表示部３ｂ、個々の患者の患者情報表示部Ｍが一覧表示されたボード部３ｃに加え、図３に示すように表示部３ｂに表示する画像或いは映像を制御する映像処理部３２、表示部３ｂに組み付けられた操作部としてのタッチパネル３３、患者毎の担当看護師（担当看護師チーム）を記憶する看護師情報記憶部３４ａ、親機３を介した通話履歴を記憶する親機通話履歴記憶部３４ｂ、親機３全体を制御する親機ＣＰＵ３５、通話部３ａで報音する或いは通話部３ａから入力される音声信号を処理する音声処理部３７、ＩＤカード７からＩＤを読み取るＩＤ受信部３８、他の機器とＬＡＮ接続するための通信インターフェース（通信ＩＦ）３９等を備えている。
看護師が携行するＩＤカード７は、例えばパッシブＲＦＩＤタグが使用され、ＩＤ受信部３８に例えば１メートル以内に近づくとＩＤ受信部３８がカードのＩＤ情報を読み取ることができる。
また図４は、カメラ６の配置説明図であり、起き上がりや離床する見守り対象の患者Ｍがカメラ６の中央に配置されるようにベッド位置が調整される。
【００１８】
図５は看護師情報記憶部３４ａが記憶する情報の説明図であり、看護師情報記憶部３４ａには、各看護師に対して看護師が所属するチーム名、携行する携帯端末番号、看護師のＩＤ情報が登録されている。また、図示しない患者と看護師チームとの関連付けも記憶しており担当看護師記憶部でもある。
また、図６は親機通話履歴記憶部３４ｂが記憶する履歴情報の一例を示し、直近に受信したＩＤは「１２２」であり、その時刻は１５時２４分であることを示している。
【００１９】
一方、親機３を通して応答した履歴が、図６に示すように親機通話履歴記憶部３４ｂに記憶される。具体的に、子機１からの呼び出しを受けてナースステーションに居た看護師がハンドセット３ａを持ち上げて応答すると、親機ＣＰＵ３５の制御によりその時の時刻情報と共にＩＤ受信部３８が受信したＩＤ情報が記憶される。
尚、ベッド番号と患者を関連付けたベッド情報記憶部が親機３或いは制御機４に設けられ、親機ＣＰＵ３５はこれらの情報を基に廊下灯２が生成した呼出信号から、関連する子機１及び患者を特定することができる。
【００２０】
カメラ６は、図４に示すように、ベッドＢ上方に設置され、ベッドＢが表示画面の中央に配置されるようカメラヘッドがパン・チルト及び回転操作される。
【００２１】
このように構成されたナースコールシステムの動作は以下の様である。但し、患者からの呼び出し、親機３或いは携帯端末５からの応答動作は従来と同様であるため説明を省略し、ここではカメラ６の角度調整作業時の動作について説明する。
カメラ６は、見守り対象の患者、即ち撮像対象の患者が変更される度に、或いは患者が移動する毎に角度調整が行われる。例えば、病室が変更される場合はカメラ６をユニット毎に次の病室に移動し、カメラヘッドの向きが調整される。
【００２２】
カメラ６は、移動先のＨＵＢ１０に設けられているＰｏｅＨＵＢに接続されると、ＰｏｅＨＵＢから電源が供給されてオン動作する。オン動作したカメラ６は、起動信号と共に映像信号が出力されて廊下灯２を経由して親機３の表示部３ｂに映し出される。また、起動信号を受信した廊下灯２は、呼出信号を生成して親機３へ送信する。このとき、呼出信号は予めＬＡＮ端子に関連付けられている子機１からの呼出信号として生成して送信される。
この呼出信号を受けた親機３は、親機ＣＰＵ３５が呼出音を鳴動させると共に映像を表示させる。呼び出しを受けてナースステーションに居る看護師が応答操作することで、表示部３ｂに表示された映像をモニタしながら、病室の子機１を介してカメラ６を調整する看護師と会話し、病室の看護師にカメラ６の位置・向きを指示して調整が成される。
【００２３】
具体的に、起動時のカメラ６の撮像映像は図７に示すように表示され、表示部３ｂのモニタ画面Ｄ１の中央に、位置合わせの為の十字マークＳ１と台形枠Ｓ２が表示され、調整画面であることが表示される。
親機３から応答した看護師が、この表示映像を見ながら指示を出すことで、病室の看護師によりカメラ６の調整が行われる。このとき、台形枠Ｓ２内にベッドが配置されるよう、そして十字マークＳ１の表示に合わせて患者が配置されたら角度調整は完了となり、プリセットボタンＢ１を操作することで、カメラ６の角度が記憶される。
【００２４】
このように、調整時はナースステーションに応答のできる看護師の存在が不可欠であるため、不在の場合は、次のように動作する。呼出信号を受けた親機３が、呼出音の鳴動を開始して応答操作されることなく２０秒等の一定時間が経過したら、自動的に看護師の携帯端末５を呼び出す。しかも、親機３の親機通話履歴記憶部３４ｂから直近に応答した看護師を判別して、その看護師が携行している携帯端末５を看護師情報記憶部３４ａから読み取り、その携帯端末５の呼び出しへ移行する。
このスライド呼び出しにより、親機３に近い位置に居ると推測される看護師を呼び出すことができ、親機３まで赴く時間の短縮が可能となる。例えば、図６に示す履歴情報では、時刻１５：２４に応答したＩＤ１２２の看護師が携行する携帯端末５に呼び出しが移行する。
【００２５】
また、こうして呼出先を変更しても引き続き応答がない場合は、更に呼出先を変更するスライド呼び出しを実施し、次は担当看護師の呼び出しに移行する。これは、廊下灯２から送信された呼出信号から子機１に関連付けられた患者を割り出すことができ、患者情報から担当看護師を割り出して呼び出しを実施するものである。但し、ここでは図５に示すように、担当するチームの看護師が携行する携帯端末５を読み取り、その携帯端末５に対して一斉に呼出信号が送信される。
【００２６】
このように、カメラ６の撮像角度を調整する際に、ナースステーションに誰も居ないときは、直近に親機３を応答操作した看護師を呼び出すため、ナースステーションの近くに居ると考えられる看護師を呼び出して親機３のモニタチェック作業を手伝ってもらうことができ、カメラ６の調整をスムーズに実施できる。
また、親機３から応答がない場合は、担当看護師の呼び出しに移行するため、直ぐに応答がないからといって、カメラ６の調整作業を諦める必要がない。
【００２７】
尚、直近に応答した看護師から応答が無い場合のスライド呼出先を、担当看護師ではなく、直近に応答した２番目の看護師にしても良いし、親機３から呼び出しをスライドする際に、一人ではなく直近に親機３から応答した複数の看護師を同時に呼び出しても良い。複数の携帯端末５を呼び出した場合は、応答した看護師に親機３の元へ行ってもらえば良い。
【００２８】
また次のような呼び出し制御を行っても良い。これは、図３に示すように親機３に受信したＩＤ情報を記憶するＩＤ履歴記憶部３６を設けて、応答操作の有無に関わらず親機３に接近した看護師から受信したＩＤ情報を保存し、この情報を基に呼出制御するものである。
具体的に、ＩＤ受信部３８を常時能動状態にしておき、親機ＣＰＵ３５の制御により一定距離以内に近づいたＩＤカード７のＩＤ情報を時間情報と共にＩＤ履歴記憶部３６に保存しておく。そして、廊下灯２から送信されたカメラ調整のための映像信号と同時に送信される呼出信号を基に、親機３で行った呼出動作に対して応答が無かった場合に、ＩＤ履歴記憶部３６から直近に受信したＩＤを読み取り、そのＩＤに関連付けられている携帯端末５を看護師情報記憶部３４ａから読み取って、呼び出し先を該当する携帯端末５にスライドさせる。
【００２９】
こうして、カメラ６の撮像角度を調整する際に、ナースステーションに誰も居ないときは、直近に親機３に近づいた看護師を呼び出すことで、ナースステーションの近くに居ると考えられる看護師を呼び出して親機３のモニタチェック作業を手伝ってもらうことができ、カメラ６の調整をスムーズに実施できる。
【００３０】
そして、この呼び出しの実施で応答がなければ、その後は上記実施形態のように、関連付けられている看護師（担当看護師）の携帯端末５に呼び出しをスライドさせても良いし、ＩＤ履歴記憶部３６に保存されている２番目の看護師の携帯端末５を呼び出しても良い。更には、一人ずつでなく複数の看護師を同時に呼び出しても良い。また、最初の親機３の呼出動作に対して応答が無かった場合は、担当看護師に呼び出しをスライドしても良く、このスライド呼び出しの場合はＩＤ情報を発信するＩＤカード７が必要ないため、従来のナースコールシステムを変更することなく安価に実施することが可能である。
【００３１】
尚、上記実施形態では、カメラ６を一度ＬＡＮから外して移動する場合を前提に説明したが、病室を変えずベッド位置を変更する場合は、カメラ６をＬＡＮから外さなくても良いため、スイッチ操作で起動信号を生成して撮像映像の送信を開始させる再起動ボタン６ａ（図４に示す）をカメラ６に設けると良く、利便性が良い。
また、看護師情報記憶部３４ａ、親機通話履歴記憶部３４ｂは制御機４に設けても良い。
【符号の説明】
【００３２】
１・・ナースコール子機、２・・廊下灯、３・・ナースコール親機、３ｂ・・表示部、４・・制御機、５・・携帯端末、６・・カメラ、６ａ・・再起動ボタン、７・・ＩＤカード、３４ａ・・看護師情報記憶部（担当看護師記憶部）、３４ｂ・・親機通話履歴記憶部、３５・・親機ＣＰＵ（呼出制御部）、３８・・ＩＤ受信部。
【図１】
0006322595.tif 000002
【図２】
0006322595.tif 000003
【図３】
0006322595.tif 000004
【図４】
0006322595.tif 000005
【図５】
0006322595.tif 000006
【図６】
0006322595.tif 000007
【図７】
0006322595.tif 000008